(57)【要約】  歯車を持つ作動可能な伝動装置が、一層良好な放熱及び温度に無関係な粘度を示す潤滑兼冷却剤で作動せしめられるようにする。そのため伝動装置が、水及び黒鉛を懸濁するグリコール等から成る混合物を収容している。混合物は、なるべく４０〜６０重量％のグリコール、１２μｍ以下の粒度を持つ薄片状黒鉛粒子の形の２〜２５重量％の黒鉛、残部水及びそのほかの混和物及び／又は添加物を含んでいる。更に潤滑兼冷却剤及びこれにより作動せしめられる伝動装置の作動開始方法が記載されている。【選択図】図１
2009528501.tif 000002
【特許請求の範囲】
【請求項１】
高負荷歯車を持つ作動可能な伝動装置であって、そのハウジングが潤滑兼冷却剤を収容する溜めを形成し、この溜めの中へ歯車が没入しているものにおいて、ハウジングが、潤滑兼冷却剤として、水と少なくとも２つの水酸基を持つ脂肪族炭化水素又はこのような炭化水素を含む化合物との混合物を収容し、この混合物中に５０μｍ以下の粒度を持つ黒鉛粒子が懸濁されていることを特徴とする、作動可能な伝動装置。
【請求項２】
潤滑兼冷却剤が、２５〜７５重量％の脂肪族炭化水素又はこのような炭化水素を含む化合物、２０μｍ以下の粒度を持つ薄片状黒鉛粒子の形の１〜３０重量％の黒鉛、残部として水及びそのほかの混和物及び／又は添加物を含んでいることを特徴とする、請求項１に記載の作動可能な伝動装置。
【請求項３】
潤滑兼冷却剤が、４０〜６０重量％の脂肪族炭化水素又はこのような炭化水素を含む化合物、１２μｍ以下の粒度を持つ薄片状黒鉛粒子の形の２〜２０重量％の黒鉛、残部として水及びそのほかの混和物及び／又は添加物を含んでいることを特徴とする、請求項２に記載の作動可能な伝動装置。
【請求項４】
潤滑兼冷却剤がそのほかの添加物として分散添加剤を含んでいることを特徴とする、請求項２に記載の作動可能な伝動装置。
【請求項５】
潤滑兼冷却剤中の分散添加剤の濃度が、重量％で炭素粒子の濃度の半分ないし濃度とほぼ同じであることを特徴とする、請求項４に記載の作動可能な伝動装置。
【請求項６】
潤滑兼冷却剤がそのほかの添加物として泡止め剤を含んでいることを特徴とする、請求項２に記載の作動可能な伝動装置。
【請求項７】
潤滑兼冷却剤が更にそのほかの添加物として防食剤を含んでいることを特徴とする、請求項２に記載の作動可能な伝動装置。
【請求項８】
潤滑兼冷却剤を収容しかつ歯車が没入する溜めを形成するハウジングを持ちかつ高負荷歯車を持つ伝動装置用作動液体において、ハウジングが、潤滑兼冷却剤として、水と少なくとも２つの水酸基を持つ脂肪族炭化水素又はこのような炭化水素を含む化合物との混合物を収容し、この混合物中に５０μｍ以下の粒度を持つ黒鉛粒子が懸濁されていることを特徴とする、作動液体。
【請求項９】
潤滑兼冷却剤が、２５〜７５重量％の脂肪族炭化水素又はこのような炭化水素を含む化合物、２０μｍ以下の粒度を持つ薄片状黒鉛粒子の形の１〜３０重量％の黒鉛、残部として水及びそのほかの混和物及び／又は添加物を含んでいることを特徴とする、請求項８に記載の作動液体。
【請求項１０】
潤滑兼冷却剤が、４０〜６０重量％の脂肪族炭化水素又はこのような炭化水素を含む化合物、１２μｍ以下の粒度を持つ薄片状黒鉛粒子の形の２〜２０重量％の黒鉛、残部として水及びそのほかの混和物及び／又は添加物を含んでいることを特徴とする、請求項９に記載の作動液体。
【請求項１１】
潤滑兼冷却剤がそのほかの添加物として分散添加剤を含んでいることを特徴とする、請求項９に記載の作動液体。
【請求項１２】
潤滑兼冷却剤中の分散添加剤の濃度が、重量％で炭素粒子の濃度の半分ないし濃度とほぼ同じであることを特徴とする、請求項１１に記載の作動液体。
【請求項１３】
潤滑兼冷却剤がそのほかの添加物として泡止め剤を含んでいることを特徴とする、請求項９に記載の作動液体。
【請求項１４】
潤滑兼冷却剤が更にそのほかの添加物として防食剤を含んでいることを特徴とする、請求項９に記載の作動液体。
【請求項１５】
乾いている伝動装置から始まって、次の段階で伝動装置を初めて作動開始する方法において、
ａ）水と、少なくとも２つの水酸基を持つ脂肪族炭化水素又はこのような炭化水素を含む    化合物と、黒鉛粒子とを、伝動装置外の容器において混合し、
ｂ）歯車の少なくとも１つが潤滑兼冷却剤の中へ没入するまで、請求項１に記載の潤滑兼    冷却剤を伝動装置に満たし、
ｃ）すべての歯車が潤滑兼冷却剤でぬらされるまで、伝動装置を負荷なしに空転させ、そ    の際歯車上に安定した潤滑膜が形成されているようにする
方法。
【請求項１６】
段階ａ）として、請求項１に記載の潤滑兼冷却剤を、少なくとも１つ軸線のレベルを越えるまで伝動装置に満たし、その際潤滑兼冷却剤が５〜２０重量％の黒鉛を含むようにし、段階ｂ）により、潤滑兼冷却剤を少なくとも一部排出し、請求項１に記載の潤滑兼冷却剤を、作動レベルまで伝動装置に満たし、その潤滑兼冷却剤が場合によっては残留量に応じて減少される黒鉛粒子の含有量を含むようにすることを特徴とする、請求項１５に記載の伝動装置を初めて作動開始する方法。
【発明の詳細な説明】
【技術分野】
【０００１】  本発明は高負荷歯車を持つ作動可能な伝動装置であって、そのハウジングが潤滑兼冷却剤を収容する溜めを形成し、この溜めの中へ歯車が没入しているものに関する。このような伝動装置は、種々の使用において、特に自動車において変速機として、４輪駆動車両の動力分配装置として、また車軸伝動装置又は差動装置として現れる。
【背景技術】
【０００２】  高負荷歯車では、最良の潤滑でも放出すべき損失熱が生じる。それは、ポンプ及び外部冷却器を含む冷却兼潤滑回路によるか、または伝動装置のハウジングを介して周囲への放熱により行われる。そのためハウジングができるだけ大きい表面を持っているようにする。自動車では、表面からそれに沿って流れる走行風への熱伝達面積を大きくするため、大抵は外側にひれを形成されている。伝動装置のために多くの空間を利用することなく機関出力を増大しようとする時、速やかに限界に達する。【０００３】  現在伝動装置においても潤滑剤のみが使用され、高負荷伝動装置では大抵の場合完全合成油が使用されている。しかしすべての油に共通に次の欠点がある。
比較的小さい熱容量、熱伝導率及び低い熱伝達係数（水のほぼ半分の大きさ）。
粘度が温度に強く関係し、それにより冷えた状態における大きい損失従って大きい燃料消費。
環境に合わず（廃棄物処理）、長い間には老化し易い。【０００４】  従って以前から代案が求められ、そのために試みがなされたが、このような代案は実際には有効でなかった。水は、そのすぐれた熱的特性のため提案された。その粘度は十分一定であり、それは一方では利点であるが、他方では歯面の間に支持力がある潤滑膜の形成には不充分である。歯車の適当な被覆によってこれに対処することが試みられた。常に試みられたどんな被覆も、今まで面圧または滑り速度に耐えないか、短い作動時間後に既に消失してしまった。後者の現象は炭素被覆においても認められた。【０００５】  代案の試みは、特許文献にもその反響を見る。例えば米国特許第４，７１４，４１４号明細書から、圧縮機の変速段の歯車を、油なし圧縮空気の代わりに、噴霧される水により潤滑することが公知である。歯車がプラスチックから成っていることは、伝達すべき動力が小さいことを意味する。従って高負荷歯車は問題にならない。【０００６】  ドイツ連邦共和国特許第１９６０５１６２号明細書には、実質的にアルキレングリコールのみから成りかつ腐食及び酸化防止剤を添加される合成動作液体が記載されている。アルキレングリコールの熱的特性は油よりよいが、水の熱的特性にかなわない。特のその粘度は高く、温度に左右される。
【発明の開示】
【発明が解決しようとする課題】
【０００７】  従って本発明の課題は、潤滑油の欠点を回避しかつ水の欠点なしにその利点をできるだけ高度に利用する作動可能な伝動装置を提供することである。
【課題を解決するための手段】
【０００８】  本発明によれば、潤滑兼冷却剤として、水と少なくとも２つの水酸基を持つ脂肪族炭化水素又はこのような炭化水素を含む化合物との混合物が使用され、この混合物中に５０μｍ以下の粘度を持つ黒鉛粒子が懸濁されている。少なくとも２つの水酸基を持つ脂肪族炭化水素は、多価アルコール例えばアルキレングリコール特にエチレングリコール、プロピレングリコール、トリエチレングリコール等である。このようなアルコールを含む化合物は、例えばその重合体、酸化物またはエルテルである。【０００９】  潤滑兼冷却剤は、大体において、水冷内燃機関において微細な黒鉛粒子を含む冷却剤として使用される種類のグリコールー水混合物である。この混合物の驚くべき効果は、この粒度の黒鉛が水の存在にもかかわらずグリコールと共に歯車上で被覆にまとまり、最高の歯力および滑り速度においてもこの被覆ができるだけよく潤滑を行い、没入する少なくとも１つの歯車により送られる量によって常に更新されて若返ることである。【００１０】  この効果は継続実験及び試験によって検査され、連続して油を充填される同種の伝動装置と比較された。それは後述する実施例において詳細に説明される。本発明による作動液体を持つ大量生産の伝動装置において、無負荷損失が従来の油を充填される同じ伝動装置におけるより５０％未満だけ低く、その温度が同じ走行作動において少なくとも１５°低いことが、予め見越される。摩耗は認められなかった。本発明による潤滑兼冷却剤により達せられる高い熱吸収及び放熱は、伝動装置のハウジングを歯車に一層近付けるのを可能にし、それにより同じ可能出力で伝動装置が僅かな構造空間しか必要としない。【００１１】  それにより水の熱的利点を利用するのに成功した。水中におけるグリコールの存在は、更に水の大きい欠点を除く。即ち水はもはや凍ることがない。別の利点として、グリコールは生物学的に分解可能であり、黒鉛は完全に不活性であり、従って環境にとって無害である。強調すべきことは、従来の伝動装置の構造変更は、特別な場合にしか必要でない。密封環のプラスチックが侵食されず、潤滑回路が低粘度の媒体でも動作することが保証される。【００１２】  成分の最適な混合比は、伝動装置の構造及び歯車の種類に大いに関係し、作動条件にも関係している。潤滑兼冷却剤が、２５〜７５重量％の脂肪族炭化水素又はこのような炭化水素を含む化合物、２０μｍ以下の粒度を持つ薄片状黒鉛粒子の形の１〜３０重量％の黒鉛、残部として水及びそのほかの混和物及び／又は添加物を含んでいるのがよい（請求項２）。【００１３】  伝動装置のために、潤滑兼冷却剤が、４０〜６０重量％の脂肪族炭化水素又はこのような炭化水素を含む化合物、１２μｍ以下の粒度を持つ薄片状黒鉛粒子の形の２〜２０重量％の黒鉛、残部として水及びそのほかの混和物及び／又は添加物を含んでいる（請求項３）。【００１４】  本発明の展開では、潤滑兼冷却剤がそのほかの添加物として分散添加剤を含んでいる（請求項４）。この分散添加剤は、直接潤滑すべき部分（歯車、軸受）のみならずすべての部材及び腐食を防止されているハウジングの永続的な被覆を行う。分散添加剤は長い停止後も乾燥摩擦なしに歯車の始動を保証する。分散添��剤は一般に高分子塊共重合体である。潤滑兼冷却剤中の分散添加剤の濃度が、重量％で炭素粒子の濃度の半分ないし濃度とほぼ同じであるのがよい（請求項５）。【００１５】  黒鉛、水およびグリコールの混合物は時々泡立つ傾向があり、小さいハウジングでは有害である。従って潤滑兼冷却剤に、そのほかの添加物として、泡止め剤（請求項６）及び／又は防食剤（請求項７）が添加されている。【００１６】  本発明は、請求項８〜１４の１つに記載の混合物である潤滑剤を収容しかつ歯車が没入する溜めを形成するハウジングを持ちかつ高負荷歯車を持つ伝動装置用作動液体にも関する。【００１７】  最後に本発明は、例えば機械又は自動車に組込む前に伝動装置を始めて作動開始する方法にも関する。この方法により、本発明による作動液体の利点を直ちになじみ損失及び大きい損失なしに実現するという目的が追跡される。【００１８】  この方法によれば、機械的に製造される乾燥した伝動装置が、前もって伝動装置外で混合された請求項１に記載の潤滑兼冷却剤を、少なくとも作動レベルまで満たされて、少なくとも１つの歯車が潤滑兼冷却剤へ没入し、それからすべての歯車及び潤滑しかつ保護すべき部材がぬらされるまで無負荷で空転せしめられ、その際歯車及び伝動装置内のどこにも安定した潤滑兼保護膜が形成される（請求項１５）。【００１９】  最後の効果を更に強め、促進し、近付き難い範囲でも利用するため、方法の展開において段階ａ）として、請求項１に記載の潤滑兼冷却剤を、少なくとも１つ軸線のレベルを越えるまで伝動装置に満たし、その際潤滑兼冷却剤が高い割合の黒鉛（５〜３０重量％）を含むようにし、それからしばらくゆっくり空転させ、それから潤滑兼冷却剤を少なくとも一部排出し、請求項１に記載の潤滑兼冷却剤を、作動レベルまで伝動装置に満たし、その潤滑兼冷却剤が場合によっては残留量に応じて減少される黒鉛粒子の含有量を含むようにする（請求項１６）。【００２０】  例えばはめ込み歯車におけるはめ合い面腐食に対するぬれない個所の付加的な保護として、組立ての際混合物への没入又は混合物の塗布を行うことができる。【００２１】  本発明が図により以下に説明される。
【発明を実施するための最良の形態】
【００２２】  図１において、任意の大量生産方式の伝動装置、ここではハイポイド歯車装置及び差動歯車装置を持つ自動車の前車軸伝動装置が扱われている。伝動装置は、動力分配装置又は例えば食品工業における機械の駆動用減速歯車装置であってもよい。ハウジング１内にはハイポイド歯車装置２及び差動歯車装置がある。ハイポイド歯車装置は、軸６上に固定しているピニオン４及び環状歯車５から成っている。軸６は軸受７内に支持され、軸受７の外側に密封環８が続いている。差動歯車装置３も普通の構造であり、従って切り開かれていない。車輪へ至る半軸９が見られる。【００２３】  ハウジング１の内部の下方に油溜め１０があり、その静止状態における液面が１１で示されている。環状歯車５は油溜め１０に没入している。更に注入兼排気口１３、潤滑兼冷却剤用の出口１４及び温度センサ１５（実験のためにのみ組込まれる）が示されている。【００２４】  しかしこの伝動装置は、変速機油の代わりに、少なくとも２つの水酸基を持つ脂肪族炭化水素又はこのような炭化水素を含む化合物、その中に懸濁されかつ５０μｍ以下の粒度を持つ黒鉛粒子、及び水を含む潤滑兼冷却剤を満たされている。少なくとも２つの水酸基を持つ脂肪族炭化水素として、例えば次のものが問題となる。アルキレングリコール特にエチレングリコール、プロピレングリコール又はトリエチレングリコール。このような種々の化合物、混合比及びそのほかの添加物により、種々のものが、実験において、連続して油を満たされる伝動装置の走行実験においても、豊かな成果で試された。
例えば、
混合物１
Ｇｌｙｓａｎｔｉｎ（登録商標）Ｇ４８      １００ｇ
ＶＥ水                                    １００ｇ
（ＶＥは完全に脱水されていることを表す。）
黒鉛ＦＬ１１９９                              ４ｇ
（ＦＬ１１９９は黒鉛薄片であり、１１μの粒度及び９９％Ｃの純度を持っている。）
実験記録における備考：僅かな泡発生、短期間に成分への分解なし、僅かなぬれ。
混合物２
エチレングリコール                        １００ｇ
ＶＥ水                                    １００ｇ
泡止め剤                                      １ｇ
（Ｋｌｕｔｈｅ社の泡止め剤１５０、安全データ用紙による組成。）
分散添加剤                                  １６ｇ
（Ｇｙｔｅｋ社の登録商標Ａｄｄｉｔｏｌ  ＶＸＷ６３９４、技術注意書きによる組成）
防食剤                                        ４ｇ
（ＢＷＴ社のＢＷＴ  ＣＷ−ＣＳ８、ＢＷＴの注意書きによる組成。）
黒鉛ＦＬ１１９９                            １６ｇ
（混合物と同様）
実験記録における備考：泡発生なし、分散は安定、すぐれた安定なぬれ、ぬれた後永続的にはぬれない範囲の腐食なし、動力分配装置及び始動継続検査におけるすぐれた温度挙動、ハイポイド歯車を持つ車軸伝動装置における不十分な潤滑。
混合物３
エチレングリコール                        １００ｇ
ＶＥ水                                    １００ｇ
泡止め剤                                      １ｇ
（Ｋｌｕｔｈｅ社の泡止め剤１５０、安全データ用紙による組成。）
分散添加剤                                  ２０ｇ
（Ｇｙｔｅｋ社の登録商標Ａｄｄｉｔｏｌ  ＶＸＷ６３９４、技術注意書きによる組成）
防食剤                                        ２ｇ
（ＢＷＴ社のＢＷＴ  ＣＷ−ＣＳ８、ＢＷＴの注意書きによる組成。）
黒鉛ＦＬ１１９９                            ４０ｇ
（混合物と同様）
実験記録における備考：僅かな泡発生、分散は非常に安定、すぐれた安定なぬれ、ぬれた後永続的にはぬれない範囲の腐食なし、前車輪差動装置における良好な温度挙動及び潤滑挙動。【００２５】  混合物２が走行実験において、動力分配装置における従来の量産方式の油充填と比較され、同じ伝動装置（平歯車段及び遊星歯車差動装置を含み豪華な４輪駆動者量の動力分配装置）が、１回は一方の作動液体を満たされ、１回は他方の作動液体を満たされた。【００２６】  伝動装置の定常温度を求めるため、平らな高速道路上においてそれぞれ１００ｋｍ／ｈ及び１４０ｋｍ／ｈの一定速度で、少なくとも１５０ｋｍの走行が行われた。その際溜めの作動液体の温度が温度センサで測定された。平均定常温度は、混合物２によれば、周囲温度に関係なく、約１３０℃だけ量産方式の油充填によるより低い所にある。これは両方の速度値に対して当てはまる。【００２７】  混合物３が、走行実験において、前車軸伝動装置において従来の量産方式の油重点と比較され、その際同じ伝動装置（ハイポイド傘歯車及び差動装置を含む豪華な４輪駆動車輪の前車軸伝動装置）が、１回は一方の作動液体を満たされ、１回は他方の作動液体を満たされた。【００２８】  伝動装置の定常温度を求めるため、平らな高速道路上においてそれぞれ１００ｋｍ／ｈ及び１４０ｋｍ／ｈの一定速度で、少なくとも１５０ｋｍの走行が行われた。平均定常温度は、混合物４によれば、周囲温度に関係なく，１００ｋｍ／ｈ又は１４０ｋｍ／ｈに通用して、量産方式の油充填より１６℃または１３℃だけ低い所にある。【００２９】  更に実験台において、混合物３により、前車軸差動装置が、半時間約６０ｋｍ／ｈに相当する毎分１７００回転の一定な作動開始回転数で作動せしめられ、温度挙動及び引きずりトルクが測定された。【００３０】  図２は、測定された２つの量即ち作動液体の温度（℃）及び引きずりトルクＳ（Ｎｍ）の１７００分にわたる推移を縦軸に、時間を横軸に示している。実験は焼く２３℃の冷えた伝動装置で開始される。曲線は、油を満たされた伝動装置に対してＴ１及びＳ１であり、本発明による作動液体を満たされた伝動装置に対してはＴ２及びＳ２である。これからわかるように、作動時間の間温度Ｔ１は著しく急峻に上昇し、５７℃に達するが、これに反し温度Ｔ２はゆっくり３６℃の少し上まで上昇する。引きずりトルクは、伝動装置におけるすべての負荷なし損失の和（主として摩擦損失及び液はね損失）である。油充填伝動装置の引きずりトルクＳ１は、温度に著しく関係する油の粘度のため、最初は非常に大きく（５．５Ｎｍ以上）、作動につれた約１．４Ｎｍに減少する。引きずりトルクＳ２は、最初の瞬間から１．３Ｎｍと１．０Ｎｍの間でほぼ一定である。その結果１８００秒の時間における損失仕事として、油に対しては０．１７３ｋＷｈが、本発明による作動液体に対しては０．１０６ｋＷｈが生じ、従って３８．６％の負荷なし損失減少が生じる。冬期の冷間始動（−３０℃）では、５０％以上の損失出力減少が確かめられた。【００３１】  実験記録の備考から、伝動装置のすべての部分のぬれがどんなに重要であるかがわかる。更に実験の準備の際、ある時間の間攪拌運動が液体混合物への���鉛薄片の受入れを改善することが認められた（均質な懸濁）。それから、これらの因子を考慮して本発明による作動液体で満たされる伝動装置を初めて作動開始する方法が開発された。【００３２】  前もって従来の潤滑剤で満たされた伝動装置が空にされ、徹底的に浄化されたので、機械的製造による新しい伝動装置と同じになった。あるいは量産で、乾いた伝動装置が最終試験なしに製造された。乾いた伝動装置は、容器内で前もって混合された混合物２又は３の作動液体を満たされて、歯車の１つが潤滑兼冷却剤へ没入した。それから伝動装置が適当な装置に固定され、負荷なしに空転され、それから前記１つの歯車によって送られて周りに投げ飛ばされる潤滑兼冷却剤が、すべての歯車及びその他の内面及び部分をぬらした。５分後歯面に安定した潤滑膜が形成された。【００３３】  別の実施例において、乾いた伝動装置が、まず段階ａ）において少なくとも１つの軸線のレベルの上まで、少なくとも１０重量％の黒鉛を含む作動液体で満たされ、それから伝動装置が作動レベル１１まで作動液体を満たされた。その代わりに作動液体を一部だけ放出し、黒鉛なし又は非常に僅かな黒鉛を含む液体で満たすこともできるであろう。その場合正しい混合物は作動中に生じる。
【図面の簡単な説明】
【００３４】
【図１】  本発明による伝動装置を概略的に示す。
【図２】  例としての伝動装置における比較測定の結果の線図を示す。
【図１】
2009528501.tif 000003
【図２】
2009528501.tif 000004
【国際調査報告】
2009528501.tif 000005
2009528501.tif 000006
2009528501.tif 000007
2009528501.tif 000008